(57)【特許請求の範囲】
【請求項１】
側板と支持枠と底板と天井板とドアとを備えてなるコントロールセンタ内を水平方向の仕切板で仕切って複数個のユニット室を設け、これらのユニット室に電気機器を搭載したユニットを挿入し、各ユニットの電気機器を伝送信号線で直列に接続したコントロールセンタにおいて、
前記ユニット室の側部の支持枠に形成し、前記伝送信号線を収納する凹部と、
前記凹部と前記側板とで形成され、内部に、前記ユニットに搭載した電気機器からの電力線を収納する配線ダクトを備えた配線室と、
前記ユニット側のドアの裏面側であって、前記各ユニットの前面側のフレームに取付け、前記ユニットに搭載した電気機器に接続した信号線の端部に取付けた第１のコネクタと、
前記伝送信号線を複数に分岐した分岐線の端部に設け、前記第１のコネクタに嵌合する第２のコネクタと、
前記支持枠の凹部に取り付けられるとともに、内部に前記伝送信号線を収納したワイヤサドルと、
を備えたことを特徴とするコントロールセンタ。
【発明の詳細な説明】
【０００１】
【発明の属する技術分野】
本発明は、ユニット室に収納したユニットの電気機器を直列に接続する伝送信号線を布設したコントロールセンタに関するものである。
【０００２】
【従来の技術】
従来のコントロールセンタは図４ないし図６に示すように構成されている。
図において、２０はコントロールセンタで、側板２１、２２と天井板２３と底板２４とから構成され、前記コントロールセンタ内を水平方向の仕切板２５で仕切って複数個のユニット室２６を形成している。２６ａはユニット室のドア、２７は電気機器を搭載したユニットで、前記ユニット室２６に収納してある。２８は前記ユニット室２６の一方側にユニット室の上段から下段に向かって配設して取付けた収納ダクトで、前記収納ダクト２８はコ字状に形成したダクトケース２８ａと、このダクトケース２８ａを覆うダクトカバー２８ｂから構成され、前記側板２１に絶縁ブッシュ２８ｃを介して取付けられている。前記収納ダクト２８内には、図６に示すように、前記各ユニット室２６に対応する位置に端子台２９が設けられ、前記端子台２９の相互を伝送線信号線３０で接続してある。また、前記ユニット室２６に収納したユニット２７の電気機器からの信号線３１を前記収納ダクト２８に取付けた端子台２９に接続してある。３２は配線室で、前記ユニット室２６の他方側に設けられている。３２ａは配線室のドア、３３は前記配線室３２の上部から下部に向かって取付けた配線ダクトで、この配線ダクト３３内にユニット２７の電気機器に接続する電力線（図示せず）を収納してある。
【０００３】
【発明が解決しようとする課題】
ところが、従来のコントロールセンタは、つぎのような欠点がある。
（１）収納ダクト２８内に端子台２９を取付け、この端子台２９から信号線３１を分岐してユニット２７の電気機器に接続するため、分岐接続が煩雑となっている。
（２）ユニット室２６の側部に収納ダクト２８をユニット室２６の上部より下部に向かって配設し、この収納ダクト２８内に伝送信号線３０を収納するため、ユニット２７の収納スペースが制限される。
そこで、本発明は、伝送信号線の分岐接続を簡単し、ユニットの収納スペースが制限されないようにすることを目的とするものである。
【０００４】
【課題を解決するための手段】
上記問題点を解決するため、本発明は、側板と支持枠と底板と天井板とドアとを備えてなるコントロールセンタ内を水平方向の仕切板で仕切って複数個のユニット室を設け、これらのユニット室に電気機器を搭載したユニットを挿入し、各ユニットの電気機器を伝送信号線で直列に接続したコントロールセンタにおいて、前記ユニット室の側部の支持枠に形成し、前記伝送信号線を収納する凹部と、
前記凹部と前記側板とで形成され、内部に、前記ユニットに搭載した電気機器からの電力線を収納する配線ダクトを備えた配線室と、前記ユニット側のドアの裏面側であって、前記各ユニットの前面側のフレームに取付け、前記ユニットに搭載した電気機器に接続した信号線の端部に取付けた第１のコネクタと、前記伝送信号線を複数に分岐した分岐線の端部に設け、前記第１のコネクタに嵌合する第２のコネクタと、前記支持枠の凹部に取り付けられるとともに、内部に前記伝送信号線を収納したワイヤサドルとを備えている。
【０００５】
【発明の実施の形態】
以下、本発明の実施例を図に基づいて説明する。
図１は本発明の実施例を示すコントロールセンタの正面図、図２はコントロールセンタの図で、（ａ）は図１のＡ−Ａ線に沿う断面図、（ｂ）は伝送信号線の正面図である。図３は要部拡大図である。
図において、１はコントロールセンタで、側板２、３と支持枠４と底板５と天井板６とドア７とから構成されている。前記支持枠４には凹部４ａが設けられ、前記凹部４ａと前記側板２とで配線室１１を形成している。８は仕切板で、前記コントロールセンタ１内を水平方向に仕切って複数個のユニット室９を形成している。１０は前記ユニット室９に収納するユニットで、配線用遮断器、電磁開閉器等の主回路機器、過電流継電器、多機能リレー等を単位回路ごとに共通のフレーム１０ａに取付けて前記各機器を一体にまとめてある。前記配線室１１の前面にはドア１２が設けられ、前記配線室１１内には配線ダクト１３が取付けてある。１４は前記ユニット１０から導出した信号線で、端部に第１のコネクタ１４ａを取付け、この第１のコネクタ１４ａを前記ユニット１０のフレーム１０ａに固定している。１５は前記各ユニット１０の電気機器に接続する伝送信号線で、図２（ｂ）に示すように伝送信号線１５を複数個に分岐して、分岐した部分に前記信号線１４の第１のコネクタ１４ａに嵌合する第２のコネクタ１５ａを取付けてある。１６は図３に示すように前記支持枠４の凹部４ａに取付けたワイヤサドルで、このワイヤサドル１６に前記伝送信号線１５を収納して、側板４に伝送信号線１５を固定している。
つぎに、このような構造のコントロールセンタの配線作業について説明する。
まず、前記コントロールセンタ１のユニット室９にユニット１０を収納する。前記ユニット１０に搭載した電気機器からの電力線を、前記配線室１１に設けた配線ダクト１３内に収納して、コントロールセンタ１の外部に電力線を導出する。前記ユニット１０の電気機器に接続した信号線１４の第１のコネクタ１４ａを前記ユニット１０のフレーム１０ａに固定する。
つぎに、伝送信号線１５を前記コントロールセンタ１の支持枠４の凹部４ａに収納する。前記伝送信号線１５をワイヤサドル１６で支持枠４に固定する。前記伝送信号線１５から分岐した分岐線に設けた第２のコネクタ１５ａを、前記ユニット１０のフレーム１０ａに取付けた信号線１４の第１のコネクタ１４ａに嵌合させて、伝送信号線１５を各ユニット１０の電気機器に接続する。
このように、本発明のコントロールセンタは、伝送信号線から分岐した分岐線を設け、この分岐線の先端に取付けた第２のコネクタを、ユニットの電気機器に接続した信号線の第１のコネクタに嵌合させて接続するようにしているので、伝送信号線の分岐接続が非常に簡単に行える。
【０００６】
【発明の効果】
以上述べたように、本発明によるコントロールセンタは、つぎのような効果がある。
（１）伝送信号線を複数個に分岐した分岐線の端部に第２のコネクタを設け、この第２のコネクタを、前記ユニット側のドアの裏面側であって、前記各ユニットの前面側のフレームに取付け、前記ユニットに搭載した電気機器に接続した信号線の端部に取付けた第１のコネクタに差し込んで接続するので、分岐接続が簡単となる。
（２）ユニット室の配線室側の側部の支持枠に形成した凹部に伝送信号線を固定するので、ユニットの収納スペースが制限されることがない。
【図面の簡単な説明】
【図１】  本発明の実施例を示すコントロールセンタの正面図である。
【図２】  コントロールセンタの図で、（ａ）は図１のＡ−Ａ線に沿う断面図、（ｂ）は伝送信号線の正面図である。
【図３】  本発明の要部拡大図である。
【図４】  従来のコントロールセンタの正面図である。
【図５】  図４のＢ−Ｂ線に沿う断面図である。
【図６】  従来のコントロールセンタの要部拡大図である。
【符号の説明】
１  コントロールセンタ、  ２、３  側板、  ４  支持枠、  ４ａ  凹部、
５  底板、  ６  天井板、  ７  ドア、  ８  仕切り板
９、９…  ユニット室、  １０、１０…  ユニット、
１１  配線室、  １２  ドア、  １３  配線ダクト、
１４  信号線、  １４ａ  第１のコネクタ、  １５  伝送信号線、
１５ａ  第２のコネクタ、  １６  ワイヤサドル
【図１】
0004134365.tif 000002
【図２】
0004134365.tif 000003
【図３】
0004134365.tif 000004
【図４】
0004134365.tif 000005
【図５】
0004134365.tif 000006
【図６】
0004134365.tif 000007